(57)【要約】【課題】本発明は給液終了後に給液ノズルを動かした場合に顧客が燃料供給の終了後の作業がわからなくなってしまうことを課題とする。【解決手段】燃料供給装置１６は、人検出センサ４６から人検出信号が出力された際に操作案内をスピーカ６０より報知する。燃料供給装置１６の制御回路３６は、給液終了後にノズル外れ信号が入力されたときは、スピーカ６０から「ノズルをノズル掛けに戻して下さい」といったアナウンスを発声させる。そして、音声案内がスピーカ６０から発声し終わるまでの時間経過を確保して音声案内が中断されることを防止する。また、給液終了後に一旦ノズル掛け３２に掛けられた給液ノズル３０が再びノズル掛け３２から外された場合には、Ｓ３６で「ノズルをノズル掛けに戻して下さい」といった音声案内を行うことにより、操作者（顧客）に対して余計な操作を行わないように指示する。【選択図】    図２
2004299697.tif 000002
【特許請求の範囲】
【請求項１】
被燃料供給体に燃料を供給するための燃料供給部を有する燃料供給機と、
前記燃料供給部の不使用時に当該燃料供給部を保持するための保持部と、
前記保持部に前記燃料供給部が保持されているか否かを検出する検出手段と、
前記燃料供給機近傍に人がいるか否かを検出する人検出器と、
操作案内を報知するための報知手段と、
前記人検出器から人検出信号が出力された際に操作案内を前記報知手段より報知する報知制御手段と、
を備えた燃料供給装置において、
前記報知制御手段は、燃料供給が終了してから所定時間内に前記保持部に前記燃料供給部が保持されていないことを前記検出手段が検出した場合には、前記燃料供給部を前記保持部に保持させるべく前記報知手段により報知させることを特徴とする燃料供給装置。
【請求項２】
被燃料供給体に燃料を供給するための燃料供給部を有する燃料供給機と、
前記燃料供給部の不使用時に当該燃料供給部を保持するための保持部と、
前記保持部に前記燃料供給部が保持されているか否かを検出する検出手段と、
前記燃料供給機近傍に人がいるか否かを検出する人検出器と、
操作案内を報知するための報知手段と、
伝票を発行するための伝票発行機と、
前記人検出器から人検出信号が出力された際に操作案内を前記報知手段より報知する報知制御手段と、
を備えた燃料供給装置において、
前記報知制御手段は、燃料供給が終了してから前記検出手段が前記保持部に前記燃料供給部が保持されたことを検出した後、所定時間内に前記検出手段が前記保持部に前記燃料供給部が保持されていないことを検出した場合には、前記燃料供給部を前記保持部に保持させるべく前記報知手段により報知させ、前記検出手段が前記保持部に前記燃料供給部が保持されたことが検出した際には、その際の操作案内を前記報知手段により報知させることを特徴とする燃料供給装置。
【請求項３】
前記所定時間は、前記操作案内の音声報知時間よりも大に設定されていることを特徴とする請求項２に記載の燃料供給装置。
【発明の詳細な説明】
【０００１】
【発明の属する技術分野】
本発明は燃料供給装置に係り、特にセルフサービス方式の計量機を用いて車両の燃料タンクに燃料を供給するよう構成した燃料供給装置に関する。
【０００２】
【従来の技術】
例えば、ガソリンや軽油等の油液を車両の燃料タンク（被燃料供給体）に供給する燃料供給装置を例に挙げて以下説明する。
【０００３】
例えば、セルフサービス方式の燃料供給装置は、運転者自身が給液作業の設定及び給液作業を行うようになっている（例えば、特許文献１参照）。
【０００４】
セルフサービス方式の燃料供給装置は、所望の液種を入力し、所望の給液量または給液金額を入力することで、給液許可待ち状態になる。そして、事務所側から係員が給液許可信号を出力させると、当該燃料供給装置のポンプが起動して給液が可能になり、給液が終了して給液ノズル（燃料供給部）がノズル掛け（保持部）に戻されると、ポンプが停止して伝票が発行される。
【０００５】
また、この種の燃料供給装置においては、給液操作を行う操作者に操作手順を報知するための報知器が設けられており、操作者は報知器により報知された操作手順の指示にしたがって給液操作を行う。
【０００６】
【特許文献１】
特開２００２−２５５２９４号公報
【０００７】
【発明が解決しようとする課題】
しかしながら、上記燃料供給装置では、給液ノズルをノズル掛けに保持させることにより給液の終了が検出されるため、給液が終了しているのにもかかわらず、給液ノズルをノズル掛けから外してしまうと、次回の給液手順の操作案内がスタートしてしまい、給液ノズルを慌ててノズル掛けに戻すと、操作案内が中断された状態で停止することになる。
【０００８】
そのため、次回の顧客が当該燃料供給装置で給液操作を行う場合には、中断された操作案内の続きが途中から報知されることになり、次回の顧客に対する操作案内が的確に行われないという問題がある。
【０００９】
そこで、本発明は上記課題を解決した燃料供給装置を提供することを目的とする。
【００１０】
【課題を解決するための手段】
本発明は上記課題を解決するため、以下のような特徴を有する。
上記請求項１記載の発明は、被燃料供給体に燃料を供給するための燃料供給部を有する燃料供給機と、
前記燃料供給部の不使用時に当該燃料供給部を保持するための保持部と、
前記保持部に前記燃料供給部が保持されているか否かを検出する検出手段と、
前記燃料供給機近傍に人がいるか否かを検出する人検出器と、
操作案内を報知するための報知手段と、
前記人検出器から人検出信号が出力された際に操作案内を前記報知手段より報知する報知制御手段と、
を備えた燃料供給装置において、
前記報知制御手段は、燃料供給が終了してから所定時間内に前記保持部に前記燃料供給部が保持されていないことを前記検出手段が検出した場合には、前記燃料供給部を前記保持部に保持させるべく前記報知手段により報知させるものであり、操作者（顧客）が燃料供給を終了して燃料供給部を保持部に戻した後に再び燃料供給部を動かすような操作を行った場合、燃料供給部を保持部に戻すように指示することで次回の操作案内が行われず、次の操作者が音声案内を途中から聞くことになるといった不都合を解消することが可能になる。
【００１１】
上記請求項２記載の発明は、被燃料供給体に燃料を供給するための燃料供給部を有する燃料供給機と、
前記燃料供給部の不使用時に当該燃料供給部を保持するための保持部と、
前記保持部に前記燃料供給部が保持されているか否かを検出する検出手段と、
前記燃料供給機近傍に人がいるか否かを検出する人検出器と、
操作案内を報知するための報知手段と、
伝票を発行するための伝票発行機と、
前記人検出器から人検出信号が出力された際に操作案内を前記報知手段より報知する報知制御手段と、
を備えた燃料供給装置において、
前記報知制御手段は、燃料供給が終了した後、検出手段が保持部に燃料供給部が保持されたことを検出してから所定時間内に検出手段が保持部に燃料供給部が保持されていないことを検出した場合には、燃料供給部を保持部に保持させるべく報知手段により報知させ、検出手段が保持部に燃料供給部が保持されたことが検出した際には、その際の操作案内を前記報知手段により報知させるものであり、燃料供給を終了しようとする顧客が燃料供給部を保持部に戻した後に、燃料供給の終了の際の案内がされている途中に誤って燃料供給部を保持部から外してしまったとしても、燃料供給部を保持部に戻せば燃料供給の終了の際に報知される案内を再度受けることができるので、顧客が燃料供給の終了後の作業がわからなくなってしまうことを防止できる。
【００１２】
また、上記請求項３記載の発明は、所定時間を操作案内の音声報知時間よりも長く設定したので、燃料供給の終了の際の案内を必ず報知することができ、よって、顧客が燃料供給の終了後の作業がわからなくなってしまうことを防止できる。
【００１３】
【発明の実施の形態】
以下、図面と共に本発明の実施の形態について説明する。
図１は本発明になる燃料供給装置が適用された燃料供給システムの一実施例の構成図である。
図１に示されるように、燃料供給システム１０は、給液エリア１２に設置された燃料供給装置１６と、事務所１８内に設置された管理コンピュータ２０とを有する。管理コンピュータ２０は、給液所に設置された各機器を管理しており、燃料供給装置１６から給液要求信号が出力されると、係員が当該燃料供給装置１６の周囲の状態が異常ないことを確認して給液許可を出力するための許可釦を操作することにより許可信号を当該燃料供給装置１６へ送信する。
【００１４】
尚、管理コンピュータ２０と燃料供給装置１６に搭載された制御回路との間は、ＳＳ−ＬＡＮ２２を介して双方向で通信可能に接続されている。
【００１５】
燃料供給装置１６は、セルフサービス給液方式の計量機（燃料供給機）２４と、計量機２４に搭載された設定器２６と、液種単価、給液量を表示する表示器２７とを有する。また、計量機２４は、筐体２８の前面及び背面に設定器２６が一体的に設けられており、さらに給液ノズル（燃料供給部）３０が保持されるノズル掛け（保持部）３２が設けられている。
【００１６】
本実施例では、計量機２４の片面に夫々３系統の給液系統が設けられており、例えば、軽油、ハイオクガソリン、レギュラーガソリンの３種類の燃料を選択的に給液することが可能な構成になっている。
【００１７】
また、各給液ノズル３０には、燃料が供給される給液ホース３４が接続されており、給液ホース３４は筐体２８の上部に設けられたホース支持部３５から吊下されている。
【００１８】
各給液ホース３４は筐体２８の内部に配置された給液管路（図示せず）に連通されており、各給液管路には流量計、電磁弁、給液ポンプなどの機器が設けられている。
【００１９】
図２は燃料供給装置１６の各機器の構成を示すブロック図である。
図２に示されるように、燃料供給装置１６の制御回路３６には、各給液管路に設けられた電磁弁３８、給液ポンプ４０、流量計４２、メモリ４４、人検出センサ（人検出器）４６、インタホン４８、ノズル掛け３２に設けられたノズルスイッチ（検出手段）５０、静電気除去検出スイッチ５４、設定器２６、伝票を発行する伝票発行機５８、音声案内を行うスピーカ（報知手段）６０と接続されている。
【００２０】
さらに、制御回路３６には、静電気除去ランプ５２、伝票発行ランプ５６、油種選択釦６４〜６６、満タン選択釦６８、プリセット給液量選択釦７０〜７３、プリセット給液金額量選択釦７６〜７９が接続されている。また、油種選択釦６４〜６６、満タン選択釦６８、プリセット給液量設定釦７０〜７３、プリセット給液金額設定釦７６〜７９は、内部に電球（図示せず）を内蔵しており、制御回路３６からの指示に基づきこれら各釦それぞれの電球が消灯・点滅・点灯状態となる。なお、本実施の形態においては、電球が点滅している状態は釦の操作待ち状態であることを、また、電球が点灯状態の場合は釦が指定操作されたことを示している。
【００２１】
そして、制御回路３６は、操作者の入力操作に応じて次に行う操作に対応するランプを点灯または点滅させると共に、スピーカ６０から音声案内を発声させる。
【００２２】
また、メモリ４４には、各種データと制御回路３６が実行する制御プログラムが格納されており、例えば、人検出センサ４６から人検出信号が出力された際に操作案内をスピーカ６０より報知する制御プログラム（報知制御手段）が格納されている。
【００２３】
ここで、図３を参照して設定器２６に設けられた各操作部の配置及び操作手順について説明する。
【００２４】
図３に示されるように、設定器２６には、人検出センサ４６、静電気除去シート６２、静電気除去ランプ５２、インタホン４８、油種選択釦６４〜６６、満タン選択釦６８、プリセット給液量設定釦７０〜７３、プリセット給液金額設定釦７６〜７９、スピーカ６０、伝票発行機５８、伝票発行ランプ５６、が設けられている。
【００２５】
また、設定器２６には、左側から操作手順の順番に静電気除去、設定、給液、精算を行うように各操作部が設けられており、顧客（操作者）は設定器２６に記載された手順及びスピーカ６０からの音声案内に応じて操作する。
【００２６】
人検出センサ４６は、赤外線センサあるいは超音波センサ等からなり、設定器２６の前に人が立つと、人からの反射波を検知して人検出信号を制御回路３６に出力する。
【００２７】
制御回路３６は、人検出信号の入来により音声案内をスタートさせると共に静電気除去ランプ５２を点滅させる。顧客（操作者）が静電気除去シート６２に触れると、静電気除去検出スイッチ５４がオンになり、静電気除去ランプ５２を消灯させる。
【００２８】
続いて、顧客（操作者）は、液種選択釦６４〜６６の何れかを押圧操作して液種設定を行う。そして、満タン選択釦６８、プリセット給液量設定釦７０〜７３、プリセット給液金額設定釦７６〜７９の何れかを押圧操作して給液モードを設定する。
【００２９】
この後、顧客（操作者）は、給液ノズル３０をノズル掛け３２から外して車両（被燃料供給体）の給液口（図示せず）に挿入して、ノズルスイッチ５０がオフになると、給液ポンプ４０が起動される。そして、顧客（操作者）がノズルレバーを開弁方向に操作することにより給液が開始される。その後、給液が終了して給液ノズル３０をノズル掛け３２に戻すと、ノズルスイッチ５０がオンになって給液ポンプ４０が停止されると共に伝票発行機５８から伝票が発行される。
【００３０】
図４は操作手順、各ランプの作動、音声案内の報知例を説明するための図である。
図４に示されるように、顧客が計量機２４の前に到着していない状態では、制御回路３６が待機状態であり、何ら表示も音声案内も行わない。
【００３１】
手順▲１▼  次に、顧客（操作者）が計量機２４の前に到着して人検出センサ４６から人検出信号が出力されると、静電気除去ランプ５２を点滅させると共に、スピーカ６０から例えば、「いらっしゃいませ。静電気除去シートに触れて下さい」といったアナウンスを発声させる。
【００３２】
手順▲２▼  顧客（操作者）が静電気除去シート６２に触れると、静電気除去シート６２の裏面に設けられた検出スイッチ（図示せず）がオンになり、静電気除去検出信号が出力される。これにより、制御回路３６は、静電気除去ランプ５２を消灯させるとともに液種選択釦６４〜６６を全て点滅させる。そして、スピーカ６０から例えば、「液種を選んで下さい」といったアナウンスを発声させる。
【００３３】
手順▲３▼  次に液種選択釦６４〜６６の何れかがオンに操作されて液種設定が行われると、液種選択釦６４〜６６のうち選択されたものだけ点灯させると共に、満タン選択釦６８、プリセット給液量設定釦７０〜７３、プリセット給液金額設定釦７６〜７９を点滅させる。そして、スピーカ６０から例えば、「給液量を選んで下さい」といったアナウンスを発声させる。
【００３４】
手順▲４▼  満タン選択釦６８、プリセット給液量設定釦７０〜７３、プリセット給液金額設定釦７６〜７９の何れかがオンに操作されると、当該オン操作された釦を点灯状態に切り替えると共に、スピーカ６０から例えば、「レギュラー定量給液を設定しました。給液キャップを開けて下さい。ノズルを給液口に入れて下さい」といったアナウンスを発声させる。
【００３５】
手順▲５▼  顧客（操作者）が給液ノズル３０をノズル掛け３２から外して車両の給液口（図示せず）に挿入して、ノズルスイッチ５０がオフになると、設定された液種、給液量の設定釦を点灯させる状態を維持する。尚、満タン選択釦６８、プリセット給液量設定釦７０〜７３、プリセット給液金額設定釦７６〜７９のうち設定操作された釦は、点灯状態を維持する。
【００３６】
手順▲６▼  ノズルスイッチ５０がオフにより、管理コンピュータ２０に対して給液要求信号が出力される。これに対して、係員が燃料供給装置１６付近で異常がないことを確認して給液許可釦（図示せず）をオンに操作することで、当該燃料供給装置１６に給液許可信号が送信される。そして、スピーカ６０から例えば、「ピンポーン、ノズルのレバーを引いて給液口に燃料を入れて下さい」といったアナウンスを発声させる。尚、満タン選択釦６８、プリセット給液量設定釦７０〜７３、プリセット給液金額設定釦７６〜７９のうち設定操作された釦は、点灯状態を維持する。
【００３７】
手順▲７▼  顧客（操作者）が給液ノズル３０のノズルレバーを引くと、車両の燃料タンクへ給液が開始される。給液開始と共に、流量計４２により計測された燃料の供給量を表示器２７に表示させる。尚、満タン選択釦６８、プリセット給液量設定釦７０〜７３、プリセット給液金額設定釦７６〜７９のうち設定操作された釦は、点灯状態を維持する。
【００３８】
手順▲８▼  積算された供給量が目標量（プリセット量）に達したとき、スピーカ６０から例えば、「給液が終了しました。ノズルを戻して下さい」といったアナウンスを発声させる。尚、満タン選択釦６８、プリセット給液量設定釦７０〜７３、プリセット給液金額設定釦７６〜７９のうち設定操作された釦は、点灯状態を維持する。
【００３９】
手順▲９▼  給液が終了してノズルスイッチ５０がオンになると、これまで点灯していた釦の液種ランプ及び給液量ランプを消灯させると共に、精算ランプ８４を点滅させる。そして、スピーカ６０から例えば、「給液キャップを閉めて下さい。レシート（伝票）を持って精算所へお越し下さい」といったアナウンスを発声させる。
【００４０】
顧客（操作者）は、音声案内にしたがって給液ノズル３０をノズル掛け３２に戻し、給液キャップを給液口に装着して閉める。これにより、ノズルスイッチ５０がオンになって給液ポンプ４０が停止されると共に、伝票発行機５８から伝票が発行される。そして、顧客（操作者）は、伝票を受け取って事務所内の精算所に移動して給液料金を支払う。
【００４１】
ここで、制御回路３６が実行する制御処理について図５を参照して説明する。図５に示されるように、制御回路３６は、ステップＳ１１（以下「ステップ」を省略する）で人検出センサ４６から人検出信号が出力されたかどうかをチェックする。Ｓ１１で人検出センサ４６から人検出信号が出力されると、Ｓ１２に進み、静電気除去ランプ５２を点滅させる。続いて、Ｓ１３に進み、スピーカ６０から例えば、「いらっしゃいませ。静電気除去シートに触れて下さい」といったアナウンスを発声させる。
【００４２】
次のＳ１４では、静電気除去シート６２の裏面に設けられた検出スイッチ（図示せず）がオンかどうかをチェックする。Ｓ１４で、顧客が静電気除去シート６２に接触すると、静電気除去シート６２の裏面に設けられた検出スイッチ（図示せず）がオンになり、静電気除去検出信号が出力される。尚、上記Ｓ１４では、検出スイッチにより顧客が静電気除去シート６２に触れたことを検出したが、上記検出スイッチを設ける代わりに、Ｓ１３で音声案内を行った後に所定時間経過するのを待つことで、その間に顧客が静電気除去シート６２に触れたものとするようにしても良い。
【００４３】
次のＳ１５では、給液前設定情報入力指示ランプとしての油種選択釦６４〜６６、満タン選択釦６８、プリセット給液量設定釦７０〜７３、プリセット給液金額設定釦７６〜７９を点滅させる。続いて、Ｓ１６に進み、スピーカ６０から例えば、「油種、給液量を選んで下さい」といったアナウンスを発声させる。
【００４４】
次のＳ１７では、油種・数量からなる給液情報が油種選択釦６４〜６６、満タン選択釦６８、プリセット給液量設定釦７０〜７３、プリセット給液金額設定釦７６〜７９を操作することにより入力されたかどうかをチェックする。そして、Ｓ１７において給液情報が入力されたと判断した場合にはＳ１８に進み、油種選択釦６４〜６６のうち指定された油種選択釦のみを点灯させるとともにそれ以外の油種選択釦を消灯し、かつ、満タン選択釦６８、プリセット給液量設定釦７０〜７３、プリセット給液金額設定釦７６〜７９のうち指定された釦のみを点灯させるとともにそれ以外の釦を消灯する。
【００４５】
次のＳ１９では、スピーカ６０から例えば、「給液キャップを開けて下さい。ノズルを給液口に入れて下さい」といったアナウンスを発声させる。そして、Ｓ２０では、ノズル外れ信号が入力（ノズルスイッチ５０がオフ）されたかどうかをチェックする。Ｓ２０において、ノズル外れ信号が入力（ノズルスイッチ５０がオフ）されると給液ノズル３０がノズル掛け３２から外されたものと判断してＳ２０ａに進む。Ｓ２０ａでは、管理コンピュータ２０に対して給液要求信号を出力する。
【００４６】
Ｓ２１では、管理コンピュータ２０から許可信号が入力されたかどうかをチェックする。Ｓ２１で許可信号が入力された場合、Ｓ２２に進み、スピーカ６０から例えば、「ノズルのレバーを引いて給液口に燃料を入れて下さい」といったアナウンスを発声させる。
【００４７】
次のＳ２３では、流量計４２からの流量パルスが入力されたかどうかをチェックする。Ｓ２３で流量パルスが入力されると、Ｓ２４で流量計測の演算を行って積算流量を求める。続いて、Ｓ２５では、ノズル外れ信号が入力（ノズルスイッチ５０がオフ）されたかどうかをチェックする。Ｓ２５で、ノズル外れ信号の入力がある（ノズルスイッチ５０がオフ）場合には、給液が継続しているものと判断して上記Ｓ２３、Ｓ２４に戻り、流量パルスをカウントして流量計測を行う。
【００４８】
また、Ｓ２５で、ノズル外れ信号が入力（ノズルスイッチ５０がオフ）されなかったときは、Ｓ２６に進み、給液ポンプ４０を停止させる。続いて、Ｓ２７に進み、給液情報（計量機番号、液種、給液量、給液金額など）を印字した伝票を伝票発行機５８から発行させる。
【００４９】
次のＳ２８では、スピーカ６０から例えば、「給液キャップを閉めて下さい。」といったアナウンスを発声させる。続いて、Ｓ２９では、計時を開始する。そして、Ｓ３０では、予め設定された所定時間（例えば、３秒）が経過したかどうかをチェックする。この所定時間は、給液キャップを閉める間の時間やスピーカ６０から発生される「給液キャップを閉めて下さい。」を言い切るまでの時間をみており、この所定時間は３秒以上に設定しても良い。
【００５０】
Ｓ３０において、所定時間が経過すると、Ｓ３１に進み、計時カウンタをリセットする。そして、Ｓ３２で再び計時を開始する。続いて、Ｓ３３でスピーカ６０から例えば、「レシート（伝票）を持って精算所で精算して下さい」といったアナウンスを発声させる。
【００５１】
次のＳ３４では、ノズル外れ信号が入力（ノズルスイッチ５０がオフ）されたかどうかをチェックする。Ｓ３４において、ノズル外れ信号が入力（ノズルスイッチ５０がオフ）されると、一旦ノズル掛け３２に掛けられた給液ノズル３０が再びノズル掛け３２から外されたものと判断してＳ３６に進む。
【００５２】
しかし、Ｓ３４において、ノズル外れ信号が入力されないときは（ノズルスイッチ５０がオン）、Ｓ３５に進み、予め設定された所定時間（請求項２、３に記載した所定時間）が経過したかどうかをチェックする。
【００５３】
Ｓ３５において、所定時間（例えば、３０秒程度）が経過するまでは、上記Ｓ３４、Ｓ３５の処理を繰り返す。
【００５４】
このように、Ｓ３５では、所定時間が経過する間にＳ３３で指示した音声案内「レシート（伝票）を持って精算所で精算して下さい」がスピーカ６０から発声し終わるまでの時間経過を待っていることになる。なお、Ｓ３５において、所定時間が経過したと判断された場合には今回の処理を終了することになるが、この場合には音声案内がすべて発生されたことになる。また、Ｓ３５の所定時間を操作案内の音声報知時間よりも長く設定したので、燃料供給の終了の際の案内を必ず報知することができ、よって、顧客が燃料供給の終了後の作業がわからなくなってしまうことを防止できる。
【００５５】
しかし、Ｓ３４において、ノズル外れ信号が入力されたときは（ノズルスイッチ５０がオフ）、Ｓ３６に進み、スピーカ６０から例えば、「ノズルをノズル掛けに戻して下さい」といったアナウンスを発声させる。次のＳ３７では、ノズル外れ信号が入力（ノズルスイッチ５０がオフ）されたかどうかをチェックする。Ｓ３７で、ノズル外れ信号が入力されないときは（ノズルスイッチ５０がオン）、上記Ｓ３２に戻り、再度Ｓ３２以降の処理を実行する。
【００５６】
このように、燃料供給を終了しようとする顧客が給液ノズル３０をノズル掛け３２に戻した後に、燃料供給の終了の際の案内がされている途中に誤って給液ノズル３０をノズル掛け３２から外してしまったとしても、給液ノズル３０をノズル掛け３２に戻せば燃料供給の終了の際に報知される案内を再度受けることができるので、顧客が燃料供給の終了後の作業がわからなくなってしまうことを防止できる。
【００５７】
また、Ｓ３７において、ノズル外れ信号が入力されたときは（ノズルスイッチ５０がオフ）のときは、給液ノズル３０がノズル掛け３２から外されているので、Ｓ３８に進み、計時カウンタをリセットして再び、Ｓ３６以降の音声案内処理を行う。Ｓ３８のリセット処理によりＳ３５の計時カウンタをリセットすることにより、例えば、Ｓ３６〜Ｓ３８の処理が複数回繰り返された後でもＳ３５での所定時間が短くならず、常にＳ３３で指示した音声案内がスピーカ６０から発声し終わるまでの時間経過を確保して音声案内が中断されて終了されることを防止する。
【００５８】
このように、給液終了後に一旦ノズル掛け３２に掛けられた給液ノズル３０が再びノズル掛け３２から外された場合には、Ｓ３６で「ノズルをノズル掛けに戻して下さい」といった音声案内を行うことにより、操作者（顧客）に対して余計な操作を行わないように指示することができる。
【００５９】
また、上記Ｓ３５において、所定時間経過するまで待機することで、給液終了後に操作者（顧客）に対して「レシート（伝票）を持って精算所で精算して下さい」といった音声案内が全て発声されるまでの時間を確保して音声案内が中断されて終了することを防止することが可能になる。
【００６０】
尚、上記実施の形態では、操作者に対してスピーカ６０からの音声案内により操作手順を報知するように構成されたものを一例として挙げたが、これに限らず、音声案内と共に、モニタ等に文字を表示させる方法を報知手段として用いることも可能である。
【００６１】
また、上記実施の形態では、地上設置型の計量機に取り付けられた構成を一例として挙げたが、これに限らず、懸垂式の給液装置にも適用できるのは勿論である。
【００６２】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００６３】
また、上記実施の形態では、ＰＯＳ無しでの商品管理を行っているが、ＰＯＳでの給液システムで実施することも可能である。
【００６４】
【発明の効果】
上述の如く、上記請求項１記載の発明によれば、報知制御手段は、燃料供給が終了してから所定時間内に保持部に燃料供給部が保持されていないことを検出手段が検出した場合には、燃料供給部を前記保持部に保持させるべく報知手段により報知させるものであり、操作者（顧客）が燃料供給を終了して燃料供給部を保持部に戻した後に再び燃料供給部を動かすような操作を行った場合、燃料供給部を保持部に戻すように指示することで次回の操作案内が行われず、次の操作者が音声案内を途中から聞くことになるといった不都合を解消することができる。
【００６５】
また、上記請求項２記載の発明によれば、報知制御手段は、燃料供給が終了した後、検出手段が保持部に燃料供給部が保持されたことを検出してから所定時間内に検出手段が保持部に燃料供給部が保持されていないことを検出した場合には、燃料供給部を保持部に保持させるべく報知手段により報知させ、検出手段が保持部に燃料供給部が保持されたことが検出した際には、その際の操作案内を前記報知手段により報知させるものであり、燃料供給を終了しようとする顧客が燃料供給部を保持部に戻した後に、燃料供給の終了の際の案内がされている途中に誤って燃料供給部を保持部から外してしまったとしても、燃料供給部を保持部に戻せば燃料供給の終了の際に報知される案内を再度受けることができるので、顧客が燃料供給の終了後の作業がわからなくなってしまうことを防止できる。
【００６６】
また、上記請求項３記載の発明によれば、所定時間を操作案内の音声報知時間よりも長く設定したので、燃料供給の終了の際の案内を必ず報知することができ、よって、顧客が燃料供給の終了後の作業がわからなくなってしまうことを防止できる。
【図面の簡単な説明】
【図１】本発明になる燃料供給装置が適用された燃料供給システムの一実施例の構成図である。
【図２】燃料供給装置１６の各機器の構成を示すブロック図である。
【図３】設定器２６に設けられた各操作部の配置及び操作手順について説明するための図である。
【図４】操作手順、各ランプの作動、音声案内の報知例を説明するための図である。
【図５】制御回路３６が実行する制御処理のフローチャートである。
【符号の説明】
１０  給液システム
１６  燃料供給装置
２０  管理コンピュータ
２４  計量機
２６  設定器
３０  給液ノズル
３２  ノズル掛け
４２  流量計
４４  メモリ
４６  人検出センサ
５０  ノズルスイッチ
５８  伝票発行機
６０  スピーカ
６４〜６６  液種選択釦
７０〜７３  プリセット給液量設定釦
６８  満タン選択釦
７６〜７９  プリセット給液金額設定釦
【図１】
2004299697.tif 000003
【図２】
2004299697.tif 000004
【図３】
2004299697.tif 000005
【図４】
2004299697.tif 000006
【図５】
2004299697.tif 000007